(57)【要約】【課題】  スプールフリー後も当初設定した最適なドラグ力に正確に復帰できる魚釣用リールを提供する。【解決手段】  メインギアと摩擦係合する制動ディスクおよび摩擦ディスクを介してメインシャフトに回転可能に支承されたドライブシャフトと、ドライブシャフトに回動自在に支承されるスプールと、ドライブシャフトの他端と常時係合してドライブシャフトの回転力が伝達され、且つ、スプールの他端とは係脱可能に噛合するクラッチギアと、クラッチギアをスプール他端と噛合可能にスライドさせて回転力伝達の入切をするクラッチレバーと、クラッチレバーと同方向に回転可能なドラグ調整レバーと、ドラグ調整レバーの回転操作を軸方向のスライド運動に変換可能なカムと、カムのスライド運動をドライブシャフトに伝達し、制動ディスクと摩擦ディスクにおける摩擦係合力を調節するドラグ調整用バネとからなり、クラッチレバーとドラグ調整レバーは同軸状に設けた。【選択図】        図１
2005253392.tif 000002
【特許請求の範囲】
【請求項１】
電動モータまたは手動ハンドルを駆動源としてメインシャフトに回転可能に支承されたメインギアと、該メインギアと摩擦係合する制動ディスクおよび摩擦ディスクを介して一端が連結するように前記メインシャフトに回転可能に支承されたドライブシャフトと、該ドライブシャフトに回動自在に支承されるスプールと、前記ドライブシャフトの他端と常時係合してドライブシャフトの回転力が伝達され、且つ、前記スプールの他端とは係脱可能に噛合するクラッチギアと、該クラッチギアを前記スプール他端と噛合可能にスライドさせて回転力伝達の入切をするクラッチレバーと、該クラッチレバーと同方向に回転可能なドラグ調整レバーと、該ドラグ調整レバーの回転操作を軸方向のスライド運動に変換可能なカムと、該カムのスライド運動を前記ドライブシャフトに伝達し、該ドライブシャフトをメインギア側にスライドさせて前記制動ディスクと前記摩擦ディスクにおける摩擦係合力を調節するドラグ調整用バネとからなることを特徴とした魚釣り用リール。
【請求項２】
クラッチギアをスプール他端から離反する方向に付勢するリターンバネを設けた請求項１記載の魚釣り用リール。
【請求項３】
ドラグ調整バネはドライブシャフトに形成された内孔奥端とメインシャフトにスライド可能に挿入されるブッシュのフランジとの間に支持し、該ブッシュの端面とドラグ調整ネジの端面を当接させると共に、該ブッシュにはさらにフランジと前記ドラグ調整ネジの端面に位置してブッシュに挿入され、クラッチギアと係合してブッシュ上をスライドするスライド板との間にリターンバネを介装し、クラッチギアとスプール他端との噛合時に係るリターンバネの圧縮力ではドラグ調整用バネは圧縮されないようなリターンバネおよびドラグ調整用バネを採用した請求項２記載の魚釣り用リール。
【請求項４】
電動モータまたは手動ハンドルを駆動源としてメインシャフトに回転可能に支承されたメインギアと、該メインギアと摩擦係合する制動ディスクおよび摩擦ディスクを介して一端が連結するように前記メインシャフトに回転可能に支承されたドライブシャフトと、該ドライブシャフトに回動自在に支承されるスプールと、前記ドライブシャフトの他端と常時係合してドライブシャフトの回転力が伝達され、且つ、前記スプールの他端とは係脱可能に噛合するクラッチギアと、該クラッチギアを前記スプール他端と噛合可能にスライドさせて回転力伝達の入切をするクラッチレバーと、該クラッチレバーと同方向に回転可能なドラグ調整レバーと、該ドラグ調整レバーの回転操作を軸方向のスライド運動に変換可能なカムと、該カムのスライド運動を前記ドライブシャフトに伝達し、該ドライブシャフトをメインギア側にスライドさせて前記制動ディスクと前記摩擦ディスクにおける摩擦係合力を調節するドラグ調整用バネとからなり、前記クラッチレバーとドラグ調整レバーは同軸状に設けたことを特徴とした魚釣り用リール。
【請求項５】
ドラグ調整レバーをリール本体に対して任意の位置で固定可能な固定手段を設けた請求項４記載の魚釣り用リール。
【請求項６】
電動モータまたは手動ハンドルを駆動源としてメインシャフトに回転可能に支承されたメインギアと、該メインギアと摩擦係合する制動ディスクおよび摩擦ディスクを介して一端が連結するように前記メインシャフトに回転可能に支承されたドライブシャフトを有する魚釣り用リールにおいて、前記制動ディスクおよび前記摩擦ディスクを複数層設けて多板クラッチを構成したことを特徴とする魚釣り用リール。
【発明の詳細な説明】
【技術分野】
【０００１】
この発明は、ドラグ調整可能な魚釣用リールに係り、一度設定したドラグ力をスプールフリー後も正確に復帰し得る構造に関するものである。
【背景技術】
【０００２】
特に中物以上の魚を釣る場合、魚の引きに対して無理に釣糸（以下、ラインという）を巻き上げたり、スプールの回転をロックすると、ラインが切れたり、魚の口を切ってしまい、いわゆる魚をばらしてしまうことがある。一方、スプールをフリーにして、魚の引きに任せてラインを繰り出してしまうと、そのまま餌を岩場や海草などの入り組んだ所に持って行かれて根がかりし、結局、釣果が得られない。
【０００３】
そこで、従来からドラグ調整が行われている。ドラグ調整とは、スプールと該スプールに巻き上げ方向の回転力を付与するモータや手動ハンドルのメインギアとの間に設けられた制動ディスクと摩擦ディスクの摩擦係合力、即ちクラッチ圧の強弱調整を行うことによって、スプールに一定以上、ライン繰り出し方向の逆回転力が作用した場合は、クラッチを滑らせてスプールの巻き上げ速度を遅めたり、逆回転を許容するものである。この結果、たとえスプールに巻き上げ方向の回転力が伝達されていたとしても、魚の引きがドラグ力を上回れば、クラッチが滑ってラインのテンション（引張力）を一定以下に保持するから、ライン切れ等を防ぐことができる。これは丁度、クラッチ付きの自動車で坂道発進をするときに半クラッチを用いることと似ている。
【０００４】
そして、このようなドラグ調整機構としては、レバードラグ式やスタードラグ式が公知である。特に、ドラグレバーと微調整用ノブの二つの調整ツマミを備え、ドラグ力を細かく設定することができるレバードラグ式リールも公知である（例えば、特許文献１や２を参照）。
【０００５】
【特許文献１】特開２０００−２６２１９６号公報
【特許文献２】特開２００３−７０３９７号公報
【発明の開示】
【発明が解決しようとする課題】
【０００６】
しかしながら、従来の技術には大きく二つの課題がある。その一つは、最初に設定した最適なドラグ力をスプールフリー後に正確に再現することが困難なところにある。つまり、レバードラグ式ではドラグレバーを操作することによってドラグ力を０から最大まで調整することができるようになっている。即ち、一つのレバーでドラグ調整とスプールフリー調整の双方を行うようにしているのである。このため、従来のドラグレバー式リールでは、仕掛けを投入する度に、ドラグレバーを０位置に戻す必要がある。その後、当初の最適位置にドラグレバーを復帰させるのであるが、その操作はほとんど勘に頼っているため、ドラグレバーを０位置から常に同じ最適位置に復帰させることは困難である。この点、ドラグレバーが最適位置に復帰されなければ、その調整は無意味あるいは逆効果になってしまう程、ドラグ調整は厳格なものである。また、ドラグ調整に精通した熟練者にとっても、０位置から最適位置復帰までの一連のレバー操作は面倒であった。このように、一度設定したドラグ力は実釣時に変更する必要はなく、もってドラグ力は固定的であることが理想であるにも拘わらず、従来の技術では仕掛け投入の度に設定したドラグ力がリセットされてしまうという課題がある。この点、ドラグレバーとは別に、スプールをフリーとするボタンを備えたリールも公知であるが、内部構造が複雑化するといった課題がある。
【０００７】
他の一つの課題は、従来技術では制動ディスクと摩擦ディスクを各１枚ずつ合わせた単板クラッチであったため、耐久性に劣り、また広範囲なドラグ調整が困難であった。
【０００８】
本発明は上述した課題を解決するためになされたものであり、その目的とするところは、スプールフリー後も当初設定した最適なドラグ力に正確に復帰できる魚釣用リールを提供することである。また、ドラグ調整用クラッチの耐久性および調整範囲を高めることも本発明創作の目的の一つである。
【課題を解決するための手段】
【０００９】
上述した目的を達成するために本発明では、電動モータまたは／および手動ハンドルを駆動源としてメインシャフトに回転可能に支承されたメインギアと、該メインギアと摩擦係合する制動ディスクおよび摩擦ディスクを介して一端が連結するように前記メインシャフトに回転可能に支承されたドライブシャフトと、該ドライブシャフトに回動自在に支承されるスプールと、前記ドライブシャフトの他端と常時係合してドライブシャフトの回転力が伝達され、且つ、前記スプールの他端とは係脱可能に噛合するクラッチギアと、該クラッチギアを前記スプール他端と噛合可能にスライドさせて回転力伝達の入切をするクラッチレバーと、該クラッチレバーと同方向に回転可能なドラグ調整レバーと、該ドラグ調整レバーの回転操作を軸方向のスライド運動に変換可能なカムと、該カムのスライド運動を前記ドライブシャフトに伝達し、該ドライブシャフトをメインギア側にスライドさせて前記制動ディスクと前記摩擦ディスクにおける摩擦係合力を調節するドラグ調整用バネとによって魚釣用リールを構成した。この手段において、スプールはクラッチギアをスプールと連結（噛合）することによって、スプールにクラッチギアを介してドライブシャフトの回転力が伝達され、電動モータや手動ハンドルを駆動源としてスプールを巻き取り方向に回転する。クラッチギアはクラッチレバーを操作することによって選択的にスプールと係脱する。他方、ドラグ調整はこれとは全く別の機構によって行われる。つまり、ドラグ調整はドラグ調整レバーを操作することによって行われる。このように、本発明では、クラッチギアのスプールに対する回転力伝達機構とドラグ調整機構が互いに干渉することがないため、クラッチレバーを操作してスプールをフリーの状態にした後でも当初設定したドラグ力が正確に復帰される。
【００１０】
また、請求項２では、クラッチギアをスプール他端から離反する方向に付勢するリターンバネを設けた。この手段によれば、クラッチギアをスプールから確実に離反することができ、回転力伝達機構の入切がより確実なものとなる。
【００１１】
さらに、請求項３では、ドラグ調整バネはドライブシャフトに形成された内孔奥端とメインシャフトにスライド可能に挿入されるブッシュのフランジとの間に支持し、該ブッシュの端面とドラグ調整ネジの端面を当接させると共に、該ブッシュにはさらにフランジと前記ドラグ調整ネジの端面に位置してブッシュに挿入され、クラッチギアと係合してブッシュ上をスライドするスライド板との間にリターンバネを介装し、クラッチギアとスプール他端との噛合時に係るリターンバネの圧縮力ではドラグ調整用バネは圧縮されないようなリターンバネおよびドラグ調整用バネを採用した。この手段によれば、ドライブシャフトに形成した内孔の内部で、且つ、同一のメインシャフト上にドラグ調整用バネとリターンバネが配備されるから、リール構造が合理化され、この種リールの小型化、構造簡素化に寄与する。しかも、ドラグ調整用バネとリターンバネの弾発力を適正化することによって、回転力伝達機構とドラグ調整機構の干渉をより確実に回避することができる。なお、請求項４では、上記構成を基本としつつ、クラッチレバーとドラグ調整レバーを同軸状に設けるという手段を用い、また請求項５ではドラグ調整レバーをリール本体に対して任意の位置で固定可能な固定手段を設けた。
【００１２】
さらに請求項６では、電動モータまたは／および手動ハンドルを駆動源としてメインシャフトに回転可能に支承されたメインギアと、該メインギアと摩擦係合する制動ディスクおよび摩擦ディスクを介して一端が連結するように前記メインシャフトに回転可能に支承されたドライブシャフトを有する魚釣り用リールにおいて、前記制動ディスクおよび前記摩擦ディスクを複数層設けて多板クラッチを構成した。従って、ドラグ調整用クラッチの耐久性が高まり、また広範なドラグ調整が行うことができる。
【発明の効果】
【００１３】
本発明によればスプールを回転フリーに切り替える機構とドラグ調整機構が互いに干渉しない別個独立な状態で構成されるから、スプールを回転フリーから巻き取り動作状態に移行しても、常に初期設定されたドラグ力に復帰させることができる。このため、初心者であっても最初だけ熟練者に最適なドラグ調整をしてもらえば、後は電動リールのプログラムにほぼ任せた状態で釣りを楽しむことができるし、熟練者やプロ（漁師等）にとってもスプールフリーの度にドラグ力を一々再調整する手間が省けるから、釣りに専念できる時間が多くなる。また、多板クラッチを採用したので、ドラグ調整の耐久性および調整範囲を向上することができる。
【発明を実施するための最良の形態】
【００１４】
以下、本発明の好ましい実施の形態を添付した図面に従って説明する。図１は、本発明の一実施形態に係る魚釣用リール全体を示した断面図である。この実施形態では両軸受の電動リールを示している。なお、この実施形態においては、ある構造が複数の部材からなるものであっても、その機能上、同一部材とみなされるものについては、説明の便宜のため、後述の図６まで含め、共通のハッチング処理をした。また、この実施形態では本発明を構成するのに不可欠な構造だけを説明することとし、従来の魚釣用リールと共通する構成については適宜省略している。その例としては、手巻き用の手動ハンドルやレベルワンダーである。
【００１５】
図１において、１は回転不能に両端を固定したメインシャフト、２はメインシャフト１に回転可能に支承されたメインギア、３は電動モータであって、電動モータ３の動力はピニオンギア４、減速ギア５・６を介してメインギア２に伝達される。なお、メインギア２はラチェット７によってラインの巻き取り方向にのみ回転するワンウェイクラッチを構成している。
【００１６】
８はメインシャフトに回転可能に挿入されたドライブシャフトであって、メインギア２とはライニング９を介して一定の摩擦係合力をもって連結される。具体的には、ドライブシャフト８の左端にはクラッチ板８ａ（摩擦ディスク）を設けたリム８ｂが構成され、該クラッチ板８ａとメインギア２のクラッチ板２ａ（摩擦ディスク）とでライニング９（制動ディスク）を挟み込み、後述するドラグ調整機構によりライニング９に対するクラッチ板８ａ・２ａの摩擦係合力、即ちドラグ力を調整可能なクラッチ機構としている。そして通常は、いわゆるクラッチがつながった状態で、メインギア２の回転力はそのままドライブシャフト８に伝達されるのであるが、魚の引きが上記摩擦係合力、即ちドラグ力を越えた場合は、電動モータ３が駆動していても、クラッチが滑ってドライブシャフト８の回転速度がメインギア２よりも遅くなったり、ドライブシャフト８が停止したり、さらにはドライブシャフト８が逆回転をする。
【００１７】
なお、この実施形態ではクラッチ機構として、図２に示したように、多板クラッチを採用している。即ち、この実施形態では、三枚のクラッチ板の間に二枚のライニング９を挟み込み多板クラッチを構成しているのである。
【００１８】
なお、ライニング９やクラッチ板の枚数はこれに限定されず、より多数層としてもよい。また、摩擦ディスクと制動ディスクの摩擦係合力は熱によっても変化するから、耐熱性や耐摩耗性を高めるためにはライニングはテフロン（登録商標）やガラスを素材として成型することが好ましい。
【００１９】
次に、図１において、１１はドライブシャフト８に対して回転可能に挿通されたスプールであり、周知の通り、ラインの巻き取りおよび繰り出しを行う部材である。ここで明らかなように、本発明では、スプール１１はメインギア２およびドライブシャフト８に直結されていない。そこで、本発明では、スプール１１にドライブシャフト８の回転力を伝達すべく、後述するように、クラッチギア１２、クラッチレバー１３、該クラッチレバー１３により軸方向にスライド可能なスライド部１４およびクラッチ用バネ１５からなる回転力伝達機構によって、スプール１１をドライブシャフト８とを選択的に連結・切り離し（回転力伝達機構の入切）できるようにしている。
【００２０】
さらに、図１において、１６はリールのクラッチ機構とは反対側に移動不能かつ回転可能に設けられたドラグ調整用のレバー、１７ａは該レバー１６に設けられた第一のカム、１７ｂは該第一カムと接触して軸方向にスライド可能な第二のカムである。具体的には、該第二のカム１７ｂはメインシャフト１の係合部１ａと係合させることによって回転不能とされ、第一のカム１７ａとの連携によりドラグ調整用レバー１６の回転運動をスライドノブ運動に変換する機能を持つ。つまり、第一カム１７ａおよび第二カム１７ｂは図３に示すように、その合わせ面の一定範囲に互いに合致して係合するカム山１７ｃおよびカム溝１７ｄを形成している。そして、第一カム１７ａをドラグ調整用レバー１６によって回転させることにより、カム山１７ｃと１７ｄの係合が解けると共に、カム山１７ｃが第二カム１７ｂを押圧して、該第二カム１７ｂを軸方向にスライドさせる。このようにして、第二のカム１７ｂの前記スライド運動は、その端面が当接するブッシュ１８を介してドラグ調整用バネ１９に伝達され、ドラグ調整用バネ１９の圧縮力を利用してドライブシャフト８を上述したクラッチ機構側に軸移動させるようにしている。つまり、本発明ではこれら部材１６〜１９によってドラグ調整機構を構成している。なお、ドラグ調整用バネ１９はブッシュ１８のフランジ１８ａとドライブシャフト８の内孔奥端８ｄに配置されたバネ受け部材２０の間に介装されている。
【００２１】
続いて、スプール１１とドライブシャフト８の回転力伝達機構について説明する。該機構は、上述のようにクラッチギア１２、クラッチレバー１３、該クラッチレバー１３により軸方向にスライド可能なスライド部１４およびクラッチ用バネ１５を主要部材として構成されるのであるが、詳述すると、クラッチレバー１３はカム１７ａ・１７ｂの外周を回転可能に枢支されており、その回転力はスライド部１４を軸方向にスライドさせる。スライド部１４の当該スライド運動はクラッチ用バネ１５を介してクラッチギア１２に伝達される。
【００２２】
一方、クラッチギア１２は、図４に示すように、筒体１２ａの端部にフランジ１２ｂを一体に設けてなり、さらに筒体１２ａには先端で開口する切欠き溝１２ｃが形成されると共に、フランジ１２ｂにはクラウンギア１２ｄが設けられている。このクラッチギア１２に対して、ドライブシャフト８は、その端部に前記切欠き溝１２ｃと常時係合する係合突片８ｅを形成してなる。なお、クラッチギア１２は前記カム１７ｂのスライド運動を受けて軸方向にスライドするため、そのスライド長を吸収し得る深さに切欠き溝１２ｃは形成されている。また、クラッチギア１２はそのスライド運動によってスプール１１と連結するように、スプール１１の回転力伝達機構側リム１１ａの端面にはクラッチギア１２のクラウンギア１２ｄと噛合可能なクラウンギア１１ｂが形成されている。
【００２３】
上記構成からなる回転力伝達機構の動作を図５、６に従って説明する。図５は回転力伝達機構が解除されスプール１１が回転フリーとなっている状態を示している。即ち、クラッチレバー１３が所定位置にあるとき、クラッチギア１２のクラウンギア１２ｄはスプール１１のクラウンギア１１ｂと離反状態となる。なお、図５、６において、２１は回転力伝達機構のリターンバネであり、ベアリング２２を介してブッシュ１８のフランジ１８ａに支持される挟持板２３とドラグ調整ネジ１９の端面で支持され、かつ、ブッシュ１８上を摺動可能なスライド板の間に介装されている。さらに、スライド板はクラッチギア１２の内孔段部１２ｅと係合して、クラッチギア１２と連動してブッシュ１８上をスライドし、リターンバネ２１を圧縮させる。
【００２４】
この回転フリー状態にあるスプール１１をドライブシャフト８と連結して、メインギア２側の回転力を伝達するには、図６に示したように、クラッチレバー１３を操作することによって行われる。即ち、クラッチレバー１３を回転させることによって、スライド部１４が軸移動し、クラッチ用バネ１５を介してクラッチギア１２をスプール１１側にスライドさせるように伝達され、クラッチギア１２のクラウンギア１２ｄとスプール１１のクラウンギア１１ｂが噛合する。この結果、ドライブシャフト８の回転力はクラッチギア１２を介してスプール１１に伝達され、スプール１１を電動モータ３によって巻き上げ方向に駆動させることができる。そして、通常は、この状態でドラグ調整を行い、魚を釣り上げた後、仕掛けを再度投入するときは、スプール１１を回転フリーとするため、クラッチレバー１３を上記連結とは反対方向に操作することにより、スライド部１４を上記とは反対方向に復帰させ、クラッチギア１２とスプール１１のクラウンギア１２ｄと１１ｂを離反し、もってクラッチギア１２とスプール１１の連結を解除するのである。
【００２５】
ところで、リターンバネ２１の戻り位置はドラグ調整機構のドラグ調整ネジ１９によって規制される。従って、クラッチギア１２とスプール１１を連結した状態でドラグ調整するとドラグ調整ネジ１９の端面位置が変わり、リターンバネ２１の戻り位置、即ちクラッチギア１２の戻り位置も厳密には変わることになる。しかしながら、ドラグ調整時におけるドラグ調整ネジ１９の移動距離は微少であるから、その移動距離は無視することができる。つまり、ドラグ調整ネジ１９の移動はクラッチギア１２が戻り位置に復帰することに何ら影響せず、その戻り位置においてクラッチギア１２とスプール１１の連結は確実に解除される。
【００２６】
これに対して、クラッチギア１２とスプール１１を連結したときは、リターンバネ２１が圧縮され、その圧縮力が挟持板２３、ベアリング２２およびブッシュ１８のフランジ１８ａを介してドラグ調整用バネ１９に伝達されることになるが、ドラグ調整用バネ１９はリターンバネ２１よりも十分に大きい弾発力を有する。従って、リターンバネ２１の圧縮力によってはドラグ調整用バネ１９は圧縮せず、結果、クラッチギア１２とスプール１１の連結時にドラグ調整は行われない。
【００２７】
このように、本発明ではドラグ調整用バネ１９とリターンバネ２１をメインシャフト１上に連続して設けるなど、ドラグ調整機構と回転力伝達機構をスプール１１の一方に集約するも、それぞれは全く干渉することなく、実質的に別個独立の動作を行うのである。従って、回転伝達機構を操作してもドラグ調整は行われず、且つ、ドラグ調整しても回転伝達機構は操作されず、結果、スプール１１の駆動状態でドラグ調整を行い、その後、スプール１１を一旦フリーの状態にしてから駆動状態に切り替えても、常に当初設定したドラグ力が保持される。
【００２８】
なお、上記実施形態では、クラッチレバー１３とドラグ調整レバー１６を同軸状に設けることによって、内部構造の合理化を図ると共に、両レバーをレバー式として集約することによって操作をしやすくしている。さらに、ドラグ調整レバー１６は、図１や図５に示されるように、固定ノブ３０を締め付けることよって、そのボルト先３１を本体に設けた円弧状のガイド板３２に押圧することにより、任意の位置で固定可能としている。なお、３３はドラグ調整レバー１６に設けたクリックボールであって、バネ３４によってインジケータ板３５の穴３６に嵌合するようにしている。
【００２９】
上記実施形態では本発明を電動リールに適用したが、手動リールに適用することも可能である。
【図面の簡単な説明】
【００３０】
【図１】本発明の一実施形態に係る魚釣用リール全体の断面図
【図２】同、リールのメインギア側の拡大断面図
【図３】同、リールのカムを示した説明図
【図４】同、リールのクラッチギアおよびその周辺に係る詳細図
【図５】同、リールの回転力伝達機構およびドラグ調整機構側の拡大断面図（スプールフリー状態）
【図６】同、リールの回転力伝達機構およびドラグ調整機構側の拡大断面図（スプール駆動状態）
【符号の説明】
【００３１】
１  メインシャフト
２  メインギア
３  モータ
４  ピニオンギア
５・６  減速ギア
７  ラチェット
８  ドライブシャフト
９  ライニング
１１  スプール
１２  クラッチギア
１３  クラッチレバー
１４  スライド部
１５  クラッチ用バネ
１６  ドラグ調整用バネ
１７ａ  第一のカム
１７ｂ  第二のカム
１８  ブッシュ
１９  ドラグ調整用バネ
２０  バネ受け部材
２１  リターンバネ
２２・２５  ベアリング
２３  挟持板
２４  スライド板
３０  固定ノブ
３１  ボルト
３２  ガイド板
３３  クリックボール
【図１】
2005253392.tif 000003
【図２】
2005253392.tif 000004
【図３】
2005253392.tif 000005
【図４】
2005253392.tif 000006
【図５】
2005253392.tif 000007
【図６】
2005253392.tif 000008